(57)【要約】【課題】容器の口を封止する栓体に対して穿刺針を穿刺したり引き抜いたりすることにともなって容器内の薬剤や薬液が外界へ漏れ出すのを低減する。【解決手段】容器カバー１は、切り込み１１が形成された弁体１０と、カバー本体２０とを備える。カバー本体は、弁体を保持する保持部２１と、保持部を弾性的に支持するアーム３７と、容器８０の口に係合することができる爪３３とを備える。容器８０の栓体８６の上面の少なくとも一部を弁体で覆い且つ爪を容器の口に係合して容器カバーを容器に装着したとき、アームは容器の寸法に応じて弾性的に変形する。【選択図】図１２
2016054805.tif 000002
【特許請求の範囲】
【請求項１】
栓体で封止された口を備えた容器に装着される容器カバーであって、
上下方向に貫通する切り込みが形成された弁体と、カバー本体とを備え、
前記カバー本体は、前記弁体を保持する保持部と、前記保持部を弾性的に支持するアームと、前記容器の口に係合することができる爪とを備え、
前記栓体の上面の少なくとも一部を前記弁体で覆い且つ前記爪を前記容器の前記口に係合して前記容器カバーを前記容器に装着したとき、前記アームは前記容器の寸法に応じて弾性的に変形するように構成されていることを特徴とする容器カバー。
【請求項２】
前記容器に前記容器カバーを装着した状態で、シールドで少なくとも先端が覆われた穿刺針を、前記シールドの頭部、前記弁体の前記切り込み、及び前記栓体を順に貫通させて、前記穿刺針と前記容器とを連通させたとき、前記シールドの前記頭部を保持するシールド保持部を更に備える請求項１に記載の容器カバー。
【請求項３】
前記カバー本体は、前記切り込みのシール性が向上するように前記弁体を径方向に圧縮する圧縮部を備える請求項１又は２に記載の容器カバー。
【請求項４】
前記爪は、前記口の半径方向に沿って外向きに弾性的に変位することができる請求項１〜３のいずれかに記載の容器カバー。
【請求項５】
前記弁体はゴム状の弾性材料からなる請求項１〜４のいずれかに記載の容器カバー。
【請求項６】
前記弁体の前記栓体に対向する側の面に、前記切り込みを取り囲むように連続した環状リブが形成されている請求項１〜５のいずれかに記載の容器カバー。
【請求項７】
前記栓体が前記容器の前記口から外れないように前記栓体及び前記口にキャップが装着されており、
前記環状リブは前記キャップに当接するような位置に設けられている請求項６に記載のバイアルシールド。
【発明の詳細な説明】
【技術分野】
【０００１】
本発明は、バイアル瓶などの容器の栓体に被せられる容器カバーに関する。
【背景技術】
【０００２】
粉末状の薬剤をバイアル瓶内に気密に封入して流通することが一般に行われている。このような薬剤を患者に投与する場合、バイアル瓶内に溶解液を注入して薬剤を溶解して薬液を得た後、当該薬液をバイアル瓶から薬液バッグに移送する。その後、薬液バッグ内の薬液を患者に投与する。バイアル瓶内への溶解液の注入やバイアル瓶からの薬液の取り出しは、バイアル瓶の口（開口）を封止する栓体（ゴム栓）に穿刺針（「瓶針」と呼ばれることもある）を穿刺して行われる。
【０００３】
バイアル瓶に収納された薬剤が、例えば抗がん剤のように劇薬に指定された薬剤である場合がある。このような危険な薬剤やその薬液が作業者の指などに付着したり、薬剤やその蒸気を作業者が吸引したりする事態は回避しなければならない。そこで、バイアル瓶及び薬液バッグに接続したままの状態で、薬液バッグ内の溶解液のバイアル瓶への移送からバイアル瓶内の薬液の薬液バッグへの移送までの一連の作業を行うことができるコネクタが知られている（例えば特許文献１，２参照）。このコネクタは、調製された薬液を薬液バッグ内に得るまでの過程で、バイアル瓶及び薬液バッグに対して接続及び分離を何度も繰り返して行う必要がないので、薬剤や薬液が外界に漏れ出る可能性は一般に低い。
【先行技術文献】
【特許文献】
【０００４】
【特許文献１】国際公開第２０１０／０６１７４２号パンフレット
【特許文献２】国際公開第２０１０／０６１７４３号パンフレット
【発明の概要】
【発明が解決しようとする課題】
【０００５】
上記の従来のコネクタは、バイアル瓶に接続するためにバイアル瓶の栓体に穿刺される穿刺針を備えている。
【０００６】
薬剤が揮発性を有していることなどによってバイアル瓶内が陽圧になっている場合、栓体に穿刺針を穿刺すると、栓体と穿刺針との隙間からバイアル瓶内の薬剤が外界に漏れ出ることがある。また、バイアル瓶から薬液を取り出した後に栓体から穿刺針を引き抜くと、引き抜かれた穿刺針の外表面に薬剤が付着したり、栓体の穿刺針が穿刺されていた穿刺孔が閉じるまでのわずかな時間内に薬液が当該穿刺孔を通過したりするなどして、薬液が外界に漏れ出ることがある。
【０００７】
従って、上記のコネクタを用いたとしても、薬剤や薬液の外界への漏れ出しを完全に防ぐことは困難である。
【０００８】
本発明の目的は、容器の口を封止する栓体に対して穿刺針を穿刺したり引き抜いたりすることにともなって容器内の薬剤や薬液が外界へ漏れ出すのを低減することにある。
【課題を解決するための手段】
【０００９】
本発明は、栓体で封止された口を備えた容器に装着される容器カバーに関する。前記容器カバーは、上下方向に貫通する切り込みが形成された弁体と、カバー本体とを備える。前記カバー本体は、前記弁体を保持する保持部と、前記保持部を弾性的に支持するアームと、前記容器の口に係合することができる爪とを備える。前記栓体の上面の少なくとも一部を前記弁体で覆い且つ前記爪を前記容器の前記口に係合して前記容器カバーを前記容器に装着したとき、前記アームは前記容器の寸法に応じて弾性的に変形するように構成されている。
【発明の効果】
【００１０】
本発明によれば、容器の栓体に対して穿刺針を穿刺したり引き抜いたりする際に、容器内の薬剤、薬液、及びこれらの蒸気が外界に漏れ出る可能性を低減することができる。従って、作業者が危険な薬剤等に被曝する可能性を低減することができる。
【図面の簡単な説明】
【００１１】
【図１】図１は、本発明の一実施形態にかかる容器カバーの上方から見た分解斜視図である。
【図２】図２Ａは本発明の一実施形態にかかる容器カバーを構成する弁体の上方から見た斜視図である。図２Ｂは弁体の断面図である。図２Ｃは弁体の下方から見た斜視図である。
【図３】図３は、本発明の一実施形態にかかる容器カバーの上方から見た斜視図である。
【図４】図４は、本発明の一実施形態にかかる容器カバーの下方から見た斜視図である。
【図５Ａ】図５Ａは、図３の５−５線を含む上下方向面で切断された本発明の一実施形態にかかる容器カバーの上方から見た断面斜視図である。
【図５Ｂ】図５Ａは、図３の５−５線を含む上下方向面で切断された本発明の一実施形態にかかる容器カバーの下方から見た断面斜視図である。
【図６Ａ】図６Ａは、図３の６−６線を含む上下方向面で切断された本発明の一実施形態にかかる容器カバーの上方から見た断面斜視図である。
【図６Ｂ】図６Ａは、図３の６−６線を含む上下方向面で切断された本発明の一実施形態にかかる容器カバーの下方から見た断面斜視図である。
【図７】図７は、本発明の一実施形態にかかる容器カバーの上面図である。
【図８】図８は、本発明の一実施形態にかかる容器カバーの下面図である。
【図９】図９は、本発明の一実施形態にかかる容器カバーが装着されるバイアル瓶の断面図である。
【図１０】図１０は、本発明の一実施形態にかかる容器カバーをバイアル瓶に装着する直前の状態を示した斜視図である。
【図１１】図１１は、バイアル瓶に装着された、本発明の一実施形態にかかる容器カバーの斜視図である。
【図１２】図１２は、バイアル瓶に装着された、本発明の一実施形態にかかる容器カバーの断面図である。
【図１３】図１３は、バイアル瓶に穿刺されるシールド付き穿刺針の一例の断面図である。
【図１４】図１４は、バイアル瓶に穿刺されるシールド付き穿刺針の一例の斜視図である。
【図１５】図１５は、図１３に示した穿刺針を穿刺する直前の、本発明の一実施形態にかかる容器カバーが装着されたバイアル瓶を示した断面図である。
【図１６】図１６は、図１３に示した穿刺針を穿刺する途中の、本発明の一実施形態にかかる容器カバーが装着されたバイアル瓶を示した断面図である。
【図１７】図１７は、図１３に示した穿刺針を穿刺した、本発明の一実施形態にかかる容器カバーが装着されたバイアル瓶を示した断面図である。
【発明を実施するための形態】
【００１２】
前記容器に前記容器カバーを装着した状態で、シールドで少なくとも先端が覆われた穿刺針を、前記シールドの頭部、前記弁体の前記切り込み、及び前記栓体を順に貫通させて、前記穿刺針と前記容器とを連通させたとき、本発明の上記の容器カバーは前記シールドの前記頭部を保持するシールド保持部を更に備えていてもよい。これにより、穿刺針を栓体から引き抜く際に、シールド保持部は、穿刺針がシールド内に収納されてしまうより前に、頭部と弁体とが離間するのを防止する。その結果、頭部と弁体とを分離した後、頭部や弁体の外面に薬液等が付着する可能性を低減することができる。また、外表面に薬液等が付着した穿刺針が頭部から突き出た状態で外界に露出することもない。
【００１３】
前記カバー本体は、前記切り込みのシール性が向上するように前記弁体を径方向に圧縮する圧縮部を備えることが好ましい。これにより、弁体の切り込みを通って薬液等が外界に外界に漏れ出る可能性を低減することができる。
【００１４】
前記爪は、前記口の半径方向に沿って外向きに弾性的に変位することができることが好ましい。これにより、容器カバーを容器に装着する作業性が向上する。また、栓体等の外径寸法に関して、容器カバーを装着することができる許容範囲が拡大する。
【００１５】
前記弁体はゴム状の弾性材料からなることが好ましい。これにより、切り込みのシール性が向上する。また、弁体と栓体（または栓体を覆うキャップ）との間のシール性も向上する。これらの結果、薬液等が外界に外界に漏れ出る可能性を更に低減することができる。
【００１６】
前記弁体の前記栓体に対向する側の面に、前記切り込みを取り囲むように連続した環状リブが形成されていることが好ましい。これにより、弁体と栓体（または栓体を覆うキャップ）との間のシール性が向上する。その結果、薬液等が外界に外界に漏れ出る可能性を更に低減することができる。
【００１７】
前記栓体が前記容器の前記口から外れないように前記栓体及び前記口にキャップが装着されていてもよい。この場合、前記環状リブは前記キャップに当接するような位置に設けられていることが好ましい。これにより、薬液等が外界に外界に漏れ出る可能性を更に低減することができる。
【００１８】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の部材を備え得る。以下の各図では、実際の部材の寸法および各部材の寸法比率等が忠実に表されていない。
【００１９】
＜容器カバーの構成＞
図１は、本発明の一実施形態にかかる容器カバー（以下、単に「カバー」という）１の上方から見た分解斜視図である。カバー１は、弁体１０とカバー本体２０とからなる。以下の説明の便宜のため、図１の紙面の上下方向をカバー１の「上下方向」、図１の紙面の上側をカバー１の「上側」、図１の紙面の下側をカバー１の「下側」という。但し、「上下方向」は、カバー１の実際の使用時の姿勢（向き）を意味するものではない。
【００２０】
図２Ａは弁体１０の上方から見た斜視図、図２Ｂは弁体１０の上下方向面に沿った断面図、図２Ｃは弁体１０の下方から見た斜視図である。
【００２１】
弁体１０は、円形の平面視形状を有する薄肉の板状体である。弁体１０は、外力を加えると変形し、当該外力を除去すると直ちに初期形状に復帰するゴム状の弾性を有する材料（いわゆるエラストマー）からなる。その硬度は、ＪＩＳ−Ａにおいて２０〜５５であることが好ましい。具体的には、天然ゴム、イソプレンゴム、シリコーンゴム等のゴムや、スチレン系エラストマー、オレフィン系エラストマー、ポリウレタン系エラストマー等の熱可塑性エラストマーを用いることができる。
【００２２】
図２Ａ及び図２Ｂに示されているように、弁体１０の上面には、周方向に連続する円形の環状溝１４が形成されている。環状溝１４で囲まれた、弁体１０の中央の領域は、相対的に厚い厚肉部１２である。厚肉部１２の周囲壁（即ち、環状溝１４の厚肉部１２側の側壁）１３は、下側で径大のテーパ面（円錐面）である。厚肉部１２の中央に、弁体１０を厚さ方向（上下方向）に貫通する切り込み１１が形成されている。切り込み１１は、上方から見た形状がマイナス字（「−」）形状を有するスリット状であることが好ましい。切り込み１１に穿刺針が挿入されていない初期状態では、切り込み１１は閉じられ、液密且つ気密なシールが形成されることが好ましい。切り込み１１に穿刺針を挿入すると、切り込み１１を形成する対向する端縁（リップ）が穿刺針の外表面に応じて変形してこれに密着し、弁体１０と穿刺針との界面に液密且つ気密なシールが形成されることが好ましい。その後、弁体１０から穿刺針を引き抜くと、弁体１０は初期状態の形状に直ちに復帰し、切り込み１１がシールされることが好ましい。このように、弁体１０は、リシール性を有する弁として機能する。
【００２３】
図２Ｂ及び図２Ｃに示されているように、弁体１０の下面には、下方に向かって一定高さで突出した中央突起１５、第１環状リブ１６ａ、及び第２環状リブ１６ｂが形成されている。中央突起１５は、弁体１０の中央の円形の領域に形成されている。切り込み１１は、中央突起１５内に形成されている。第１環状リブ１６ａ及び第２環状リブ１６ｂは、いずれも円環状に連続している。第１環状リブ１６ａは、中央突起１５を取り囲むように、中央突起１５から離間して配置されている。第２環状リブ１６ｂは、第１環状リブ１６ａを取り囲むように、第１環状リブ１６ａから離間して配置されている。中央突起１５、第１環状リブ１６ａ、及び第２環状リブ１６ｂは、同心に配置されている。中央突起１５、第１環状リブ１６ａ、第２環状リブ１６ｂの下方への突出高さは略同じである。
【００２４】
図１に示されているように、弁体１０は、カバー本体２０の下側から、カバー本体２０に装着される。
【００２５】
図３は、カバー１の上方から見た斜視図、図４は、カバー１の下方から見た斜視図である。図５Ａは、カバー１の中心軸１ａ及び図３の５−５線を含む上下方向面で切断されたカバー１の上方から見た断面斜視図、図５Ｂは当該上下方向面で切断されたカバー１の下方から見た断面斜視図である。図６Ａは、カバー１の中心軸１ａ及び図３の６−６線を含む上下方向面で切断されたカバー１の上方から見た断面斜視図、図６Ｂは当該上下方向面で切断されたカバー１の下方から見た断面斜視図である。図７は、容器カバー１の上面図、図８は、カバー１の下面図である。
【００２６】
図５Ａ、図５Ｂ、図６Ａ、図６Ｂに示されているように、弁体１０は、カバー本体２０の保持部２１に保持される。保持部２１は、その中央に円形の開口２２が形成された、略ドーナツ状の平板である。保持部２１の下面から、周方向に連続する２つの環状突起２３ａ，２３ｂが下方に向かって突出している。第１環状突起２３ａは保持部２１の外周端縁に沿っている。第２環状突起２３ｂは開口２２の端縁に沿っている。第１環状突起２３ａの内周面（中心軸１ａに対向する面）は、中心軸１ａと同軸の円筒面である。第２環状突起２３ｂの内周面は、下側で径大のテーパ面（円錐面）である。
【００２７】
弁体１０は、保持部２１の開口２２を塞ぐように、保持部２１にその下側から装着される。弁体１０は、保持部２１の第１環状突起２３ａ内に嵌入される。このとき、第１環状突起２３ａが弁体１０を径方向に圧縮するように、第１環状突起２３ａの内径及び弁体１０の外径が設定されていてもよい。これにより、弁体１０が保持部２１からの脱落するのを防止できる。弁体１０を第１環状突起２３ａ内に嵌入した後、保持部２１と弁体１０とを接着剤で固定してもよい。
【００２８】
弁体１０を保持部２１に装着したとき、保持部２１の第２環状突起２３ｂの内周面は、弁体１０の厚肉部１２の周囲壁１３に当接する。第２環状突起２３ｂの内周面のテーパ面と厚肉部１２の周囲壁１３のテーパ面とは略同一のテーパ角度及び略同一径を有する。開口２２内に、弁体１０の厚肉部１２及び切り込み１１が露出する。
【００２９】
保持部２１の上面に、中空の筒形状を有する筒状部２５が上方に向かって突出している。筒状部２５の内周面は、中心軸１ａと同軸の円筒面である。筒状部２５の内周面から、中心軸１ａ側に向かって一対の保持爪２６が突出している。上方から見たとき、保持爪２６の先端は、中心軸１ａと同軸の円弧に沿って延びている（図７参照）。
【００３０】
保持部２１より半径方向において外側に、一対の外板３０が設けられている。外板３０は、中心軸１ａと同軸の円筒面に沿っている。
【００３１】
外板３０の下端近傍の内周面から、中心軸１ａに向かって爪３３が突出している。各外板３０に２つの爪３３が形成されている。爪３３の保持部２１に対向する面（上面）３３ａは、水平方向にほぼ沿っている。爪３３の保持部２１とは反対側の面（下面）３３ｂは、爪３３の先端３３ｔ（爪３３の中心軸１ａに最も近い部分）に近づくにしたがって中心軸１ａに接近するように傾斜している。
【００３２】
一対の外板３０は、その上端において、一対の連結板３５で連結されている。連結板３５は中心軸１ａと同軸の円筒面に沿っており、当該円筒面は外板３０が沿う円筒面よりも小径である。連結板３５は、上下方向には筒状部２５とほぼ同じ位置にあり、半径方向には筒状部２５及び保持部２１よりも外側（中心軸１ａとは反対側）に位置している。
【００３３】
一対の外板３０の上端が一対の連結板３５で連結されているので、一対の外板３０は、その下端が互いに離れる向きＡ（図３参照）に弾性的に変位することができる。このとき、各外板３０の内周面に設けられた爪３３も、半径方向に沿って外向き（中心軸１ａから離れる向き）に弾性的に変位する。
【００３４】
一対の外板３０の上端と保持部２１の外周端縁とが、一対のアーム３７で連結されている。各アーム３７は、外板３０の上端から下方に向かって延びた一対の切り欠き（スリット）３８によって挟まれた、上下方向に沿って延びる垂直部と、垂直部の上端から水平方向にほぼ沿って延びる水平部とを備えた略「Ｌ」字形状を有している。一対の外板３０に対して保持部２１が上方に向かって弾性的に変位可能なように、一対のアーム３７が保持部２１を弾性的に支持している。
【００３５】
上記のように構成された容器カバー１は、中心軸１ａに対して回転対称（２回対称）である。
【００３６】
保持部２１、外板３０、爪３３、連結板３５、アーム３７等を備えるカバー本体２０は、硬質材料からなる。具体的には、特に制限はないが、ポリエチレン、ポリプロピレン、ポリカーボネート、スチレンエチレン、ポリエチレンテレフタレート、ポリブチレンテレフタレート、ブチレンスチレンブロック共重合体などを例示することができるが、医療用に用いられることや外板３０及び保持部２１が弾性変位することを考慮すると、ポリエチレン、ポリプロピレンなどのポリオレフィン系樹脂が好ましい。カバー本体２０は、上記の樹脂材料を射出成形することにより一体的に形成することができる。
【００３７】
＜容器への装着＞
本実施形態のカバー１を、容器としてのバイアル瓶に装着する方法を説明する。
【００３８】
図９は、カバー１が装着されるバイアル瓶８０の一例の断面図である。バイアル瓶８０は、瓶本体８１の上端のフランジ８２で囲まれた口（開口）８３に、フランジ８２と略同一外径を有する栓体（ゴム栓）８６を嵌入して当該口８３を気密に封止した密閉容器である。フランジ８２の外周面は、そのすぐ下の部分（くびれ部分）８４よりも大きな外径を有する略円筒面である。従って、フランジ８２とくびれ部分８４との間には、両者の外径差に基づく段差が形成されている。
栓体８６が瓶本体８１の口８３から脱落するのを防止するために、栓体８６及びフランジ８２にキャップ８８が装着されている。キャップ８８は、金属（例えばアルミニウム）、樹脂等のシートからなり、栓体８６及びフランジ８２に密着している。キャップ８８の下端は、フランジ８２の略円筒面である外周面よりも下側にまで及んでいる。キャップ８８の上端は、栓体８６の上面にまで及んでいる。栓体８６の上面の中央の領域は、キャップ８８に設けられた円形の開口８８ａを介して外界に露出している（後述する図１０参照）。
【００３９】
栓体８６及びフランジ８２の各外周面は、略同一直径の円筒面である。従って、これらに装着されたキャップ８８の外周面８８ｃも略円筒面である。キャップ８８の外周面８８ｃの上端を上側端縁８８ｂといい、また、当該外周面８８ｃの下端を下側端縁８８ｄという。
【００４０】
バイアル瓶８０はキャップ８８を備えていなくてもよい。その場合には、上側端縁８８ｂ、下側端縁８８ｄ、外周面８８ｃは、栓体８６又はフランジ８２の対応する箇所を意味する。
【００４１】
バイアル瓶８０内には、粉末状の薬剤（図示せず）が収容されている。
【００４２】
図１０に示すように、バイアル瓶８０の栓体８６にカバー１を対向させる。そして、カバー１の一対の外板３０の間にキャップ８８を嵌入させて、カバー１をバイアル瓶８０に向かって押し付ける。カバー１の互いに対向する外板３０間の間隔は、バイアル瓶８０のキャップ８８の外径とほぼ同じかこれよりわずかに大きい。カバー１の対向する爪３３の先端３３ｔ間の間隔（図５Ａ、図６Ａ、図８参照）は、キャップ８８の外径より小さい。従って、爪３３の下面３３ｂ（図５Ａ、図６Ａ参照）が、キャップ８８の上側端縁８８ｂに衝突する。爪３３の下面３３ｂは、上述したように傾斜しているので、カバー１をバイアル瓶８０に向かって押し付けるにしたがって、爪３３が中心軸１ａから離れる向きに一対の外板３０が弾性的に変位する。爪３０の先端３３ｔは、キャップ８８の上側端縁８８ｂを通過した後、キャップ８８の外周面８８ｃ上を摺動する。そして、爪３３の先端３３ｔが、キャップ８８の下側端縁８８ｄを越えると、一対の外板３３が弾性回復し、爪３３がくびれ部分８４に嵌入し、爪３３がフランジ８２に係合する。
【００４３】
かくして、図１１に示すように、バイアルシールド１がバイアル瓶８０に装着される。図１２はバイアル瓶８０に装着されたカバー１の断面図である。
【００４４】
爪３３が弾性変位可能であること、及び、爪３３の下面３３ｂが傾斜していることにより、上記のようにカバーをバイアル瓶８０に向かって単に押し込むだけで、爪３３がフランジ８２に係合し、カバー１をバイアル瓶８０に装着することができる。従って、カバー１のバイアル瓶８０に対する装着の作業性は良好である。
【００４５】
図１１に示されているように、外板３０がキャップ８８の円筒面状の外周面８８ｃに対向している。連結部３５は、キャップ８８よりも上側に位置している。一対の連結部３５の外径は、キャップ８８の外径よりも小さい。
【００４６】
図１２に示されているように、カバー１の保持部２１及び弁体１０が、栓体８６の上面の一部を覆っている。
【００４７】
一対の外板３０がその間に栓体８６及びフランジ８２を挟んで配置されている。弁体１２０及び爪３３が、キャップ８８を介して栓体８６及びフランジ８２を上下方向に挟持している。従って、外力や振動がカバー１に加えられても、カバー１がバイアル瓶８０から意図せずに脱落することはない。
【００４８】
カバー１に設けられた爪３３がフランジ８２に係合している。このため、アーム３７は保持部２１を介して弁体１０をキャップ８８及び栓体８６に下方に向かって押し付ける。
【００４９】
弁体１０の下面から突出した環状リブ１６ａ，１６ｂは、栓体８６の上面に延びたキャップ８８に当接している。環状リブ１６ａ，１６ｂは、キャップ８８に押し付けられて上下方向に弾性的に圧縮変形している。キャップ８８は栓体８６より硬いので、環状リブ１６ａ，１６ｂはキャップ８８に密着し、キャップ８８との間に液密及び気密なシールを形成する。従って、弁体１０と栓体８６との間に、シールされた第１空間４１及び第２空間４２が形成されている。第１空間４１は、第１環状リブ１６ａよりも内側、より詳細には中央突起１５と第１環状リブ１６ａとの間に形成され、第２空間４２は、第１環状リブ１６ａと第２環状リブ１６ｂとの間に形成される。
【００５０】
環状リブ１６ａ，１６ｂは、キャップ８８の開口８８ａ内に露出した栓体８６ではなく、栓体８６上のキャップ８８に当接する。これは、第１空間４１の容積を大きくするのに有利である。また、キャップ８８は栓体８６より硬いので、第１空間４１及び第２空間４２のシール性を向上するのに有利である。
【００５１】
バイアル瓶８０の種類によっては、キャップ８８の上下方向寸法Ｈ（図９参照）が異なる場合がある。寸法Ｈのバラツキに応じて、アーム３７が弾性的に変形して保持部２１及び弁体１０の上下方向位置が変化する。従って、弁体１０の環状リブ１６ａ，１６ｂをキャップ８８に密着させ、且つ、弁体１０の中央突起１５を栓体８１に密着させることができる寸法Ｈの範囲が広い。
【００５２】
環状リブ１６ａ，１６ｂ及び中央突起１５は、上下方向に圧縮性を有する。これにより、キャップ８８の上下方向寸法Ｈの違いを、環状リブ１６ａ，１６ｂ及び中央突起１５が圧縮変形することによって吸収する。従って、環状リブ１６ａ，１６ｂ及び中央突起１５は、カバー１を装着することができるキャップ８８の上下方向寸法Ｈの範囲を更に拡大するのに有利である。
【００５３】
また、バイアル瓶８０の種類によっては、キャップ８８の外径Ｄ１やくびれ部分８４の外径Ｄ２（図９参照）が異なる場合がある。キャップ８８の外径Ｄ１が互いに対向する外板３０間の間隔より大きい場合やくびれ部分８４の外径Ｄ２が互いに対向する爪３３の間隔より大きい場合には、外径Ｄ１，Ｄ２に応じて一対の外板３０間の間隔が拡大するように外板３０が弾性的に変位する。
【００５４】
従って、カバー１を装着することができるバイアル瓶８０の寸法Ｈ及び外径Ｄ１，Ｄ２の範囲は広い。
【００５５】
外径Ｄ１，Ｄ２が大きい場合、爪３３は半径方向に沿って外側へ変位し、その姿勢（向き）が変化する。爪３３のこのような変位を考慮して、外板３０が変位していない初期状態（無負荷状態）において、爪３３の上面３３ａ（図５Ａ、図６Ａ参照）は、先端３３ｔに近づくにしたがって保持部２１に接近するように傾斜していることが好ましい。これにより、爪３３が半径方向の外側へ変位しても、先端３３ｔ又はその近傍部分をフランジ８２の下面（またはキャップ８８の下端）に当接させることができる。よって、外径Ｄ１，Ｄ２が大きい場合であっても、フランジ８２に対する爪３３の確実な係合を確保することができる。
【００５６】
＜バイアル瓶と穿刺針との接続＞
本発明では、上述したようにバイアル瓶８０にカバー１を装着した後、弁体１０を介して栓体８６に穿刺針を穿刺する。本発明において、穿刺針の構成は任意であり、例えば従来から公知の穿刺針を用いることができる。穿刺針の先端から薬液が外界に漏れ出るのを防止するために、穿刺針の少なくとも先端を覆うシールドが穿刺針に装着されていてもよい。図１３は、そのようなシールド１２０付き穿刺針１００の一例の断面図、図１４はその斜視図である。
【００５７】
図１３に示されているように、穿刺針１００は、基台１０９から突出した棒状部材であって、鋭利な先端１００ｔを有している。穿刺針１００内には、穿刺針１００の長手方向に沿って２つの流路１０１，１０２が互いに独立して形成されている。流路１０１は、液体が流れる液体流路であり、流路１０２は、気体が流れる気体流路である。液体流路１０１は、先端１００ｔ側において、横孔１０１ａと連通している。同様に、気体流路１０２は、先端１００ｔ側において、横孔１０２ａと連通している。横孔１０１ａ，１０２ａは穿刺針１００の長手方向に対して直交する方向に沿って延び、穿刺針１００の外表面において開口している。
【００５８】
基台１０９は、例えばバイアル瓶８０に接続されるコネクタ（図示せず）の一部であってもよい。図１３では、液体流路１０１及び気体流路１０２は、基台１０９の下面において開口しているが、それぞれ延長されて所望する流路に連通していてもよい。穿刺針１００が、例えば特許文献１，２に記載されたコネクタの穿刺針であってもよい。
【００５９】
穿刺針１００及び基台１０９は、実質的に剛体と見なしうる硬質の材料からなることが好ましい。具体的には、ポリアセタール、ポリカーボネート等の樹脂材料を用いて、穿刺針１００と基台１０９とを一体成形等の方法で作成することができる。
【００６０】
シールド１２０は、中空の略筒形状を有する外周壁１２１と、外周壁１２１の一端に設けられた頭部１２５と、外周壁１２１の他端に設けられた基部１２９とを備える。シールド１２０に上下方向の圧縮力が印加されたときに、外周壁１２１が、その上下方向寸法が短縮するように弾性的に圧縮変形する。シールド１２０は、このような圧縮変形が可能なように、可撓性（柔軟性）を有する材料（例えばシリコンゴム、イソプレンゴム）で一体的に作成することができる。
【００６１】
頭部１２５には、穿刺針１００の、先端１００ｔ、横孔１０１ａ，１０２ａの開口を含む部分が挿入される内腔１２６が形成されている。内腔１２６の内面は、穿刺針１００の外表面に沿った形状に設定されている。図１３のように穿刺針１００の先端１００ｔを含む部分が内腔１２６に挿入された状態では、横孔１０１ａ，１０２ａの開口は内腔１２６の内面により封止される。
【００６２】
内腔１２６の最深部には頭部１２５を上下方向に貫通するスリット１２７が形成されている。図１４に示されているように、スリット１２７は、その上方から見た形状が「−」（マイナス）字形状である直線状の切り込みである。穿刺針１００がスリット１２７を貫通していない初期状態では、スリット１２７を形成する互いに対向する端縁（リップ）は接触し、液密なシールを形成していることが好ましい。
【００６３】
図１４に示されているように、頭部１２５の上面の中央には上方に向かって突出した凸部１２８が形成されている。凸部１２８の外面は、本実施形態では略円錐面であるが、これ以外の、略円錐台面、球面などのなめらかにドーム状に膨らんだ凸曲面などであってもよい。スリット１２７は凸部１２８の最頂部（中央）を通る。
【００６４】
シールド１２０はその基部１２９にて基台１０９に固定される。基部１２９を基台１０９に固定する方法は特に制限はなく、接着、融着、係合、嵌合などの任意の方法を用いることができる。
【００６５】
本発明のカバー１が装着されたバイアル瓶８０と穿刺針１００との接続について説明する。
【００６６】
図１５は、接続する直前の、カバー１が装着されたバイアル瓶８０と、シールド１２０付き穿刺針１００との断面図である。図１５の断面は、図３の６−６線を含む上下方向面に相当する。図１５に示すように、バイアル瓶８０に装着されたカバー１の弁体１０に、シールド１２０の頭部１２５を対向させる。頭部１２５を筒状部２５内に挿入することにより、穿刺針１００の先端１００ｔを弁体１０の切り込み１１に対して正確に位置合わせすることができる。
【００６７】
この状態において、穿刺針１００をバイアル瓶８０に向かって押し付ける。図１６に示すように、穿刺針１００の先端１００ｔは、頭部１２５のスリット１２７を貫通し、弁体１０の切り込み１１に進入する。これと並行して、シールド１２０の頭部１２５は筒状部２５内を弁体１０に向かって移動し、頭部１２５の凸部１２８は弁体１０に密着される。同時に、頭部１２５は、筒状部２５の内周面に設けられた一対の保持爪２６により径方向に挟持される。
【００６８】
更に、穿刺針１００をバイアル瓶８０に向かって押し付ける。穿刺針１００は、弁体１０の切り込み１１を貫通し、更に、栓体８６を穿刺し、これを貫通する。この過程で、シールド１２０（特にその外周壁１２１）は上下方向に弾性的に圧縮変形される。
【００６９】
図１７は、バイアルシールド１が装着されたバイアル瓶８０と穿刺針１００とを接続（連通）した状態を示した断面図である。
【００７０】
穿刺針１００は、シールド１２０の頭部１２５に形成されたスリット１２７（図１５参照）を貫通し、カバー１の弁体１０に形成された切り込み１１（図１５参照）を貫通し、更に、栓体８６をも貫通している。弁体１０及び栓体８６は、穿刺針１００に貫通されることにより、瓶本体８１の側に大きく変形している。頭部１２５の凸部１２８は初期の形状（図１５参照）が認められないほどに大きく変形して弁体１０に密着している。一対の保持爪２６は頭部１２５を径方向に挟持している。シールド１２０の外周壁１２１は蛇腹状に上下方向に大きく圧縮変形している。
【００７１】
穿刺針１００の先端１００ｔ側に開口した横孔１０１ａ，１０２ａは、バイアル瓶８０内に露出している。この状態で、液体流路１０１及び横孔１０１ａを介して、バイアル瓶８０内に液体（例えば溶解液）を流入させることができ、また、バイアル瓶８０内の液体（例えば薬剤を溶解して得た薬液）をバイアル瓶８０外に流出させることができる。バイアル瓶８０に対して液体が出入りする際に、気体流路１０２及び横孔１０２ａを介して空気がバイアル瓶８０に対して出入りする。これにより、バイアル瓶８０内の気圧の変動を低減し、液体の出入りを容易にする。
【００７２】
穿刺針１００を介してバイアル瓶８０に対して液体の出し入れを行った後、穿刺針１００を栓体８６から引き抜く。
【００７３】
穿刺針１００が栓体８６及び弁体１０を抜けると、栓体８６及び弁体１０はそれぞれ弾性回復して初期形状に戻り、穿刺針１００が穿刺していた栓体８６の孔は直ちに塞がり、また、弁体１０の切り込み１１も直ちに閉じる。その後、穿刺針１００がシールド１２０の頭部１２５のスリット１２７を抜けると、スリット１２７は直ちに弾性回復して閉じる。穿刺針１００の先端１００ｔ及びその近傍部分は、頭部１２５の内腔１２６内に収納される。内腔１２６の内周面は、穿刺針１００の外表面に密着し、横孔１０１ａ，１０２ａの各開口を塞ぐ。その後、一対の保持爪２６による頭部１２５の挟持が解除され、頭部１２５の凸部１２８は弁体１０から分離し、図１５に示した初期状態に戻る。空になったバイアル瓶８０は、カバー１を装着したままの状態で廃棄される。
【００７４】
＜作用＞
以上のように、本実施形態のカバー１は、バイアル瓶８０の栓体８６の少なくとも一部を覆うようにバイアル瓶８０に装着される（図１１参照）。アーム３７は、バイアル瓶８０の寸法Ｈ（図９参照）に応じて弾性的に変形して弁体１０を栓体８６又はキャップ８８に密着させる。この状態で、穿刺針１００は、カバー１の弁体１０を貫通した後、栓体８６を穿刺する（図１６、図１７参照）。穿刺針１００を弁体１０の切り込み１１に挿入すると、弁体１０の切り込み１１の対向する端縁が穿刺針１００の外表面に隙間なく密着し、穿刺針１００との間に気密なシールを形成する。従って、穿刺針１００が栓体８６を穿刺したときにバイアル瓶８０内が陽圧であるためにバイアル瓶８０内の薬剤やその蒸気が穿刺針１００と栓体８６との間のわずかな隙間を通ってバイアル瓶８０外に漏れ出たとしても、これらが外界に拡散するのを、弁体１０及び弁体１０と穿刺針１００との間の気密なシールが防止する。バイアル瓶８０外に漏れ出た薬剤やその蒸気は、弁体１０と栓体８６との間の空間４１，４２内に保持される。
【００７５】
栓体８６から抜き出された穿刺針１００の外表面に薬液が付着していたとしても、そのような薬液は、穿刺針１００が弁体１０から引き抜かれる過程で弁体１０の切り込み１１の対向する端縁によって掻き取られる。掻き取られた薬液は、弁体１０と栓体８６との間の空間４１，４２内に保持される。
【００７６】
弁体１０の切り込み１１は、穿刺針１００が切り込み１１から抜け出ると直ちに閉じるという高いリシール性を有している。従って、穿刺針１００が栓体８６を貫通した状態（図１７参照）から穿刺針１００を引き抜いた直後に栓体８６の穿刺針１００が穿刺していた孔が直ちに閉じないために当該孔を通ってバイアル瓶８０内の薬液やその蒸気がバイアル瓶８０外に漏れ出したとしても、これらが外界に漏れ出るのを、弁体１０の切り込み１１が形成する液密なシールが防止する。バイアル瓶８０外に漏れ出た薬液やその蒸気は、弁体１０と栓体８６との間の空間４１，４２内に保持される。
【００７７】
以上のように、本実施形態のカバー１は、バイアル瓶８０の栓体８６に対して穿刺針１００を穿刺したり引き抜いたりする際に、バイアル瓶８０内の薬剤、薬液、及びこれらの蒸気（以下、「薬剤等」という）が外界に漏れ出る可能性を低減することができる。従って、作業者が危険な薬剤等に被曝する可能性を低減するのに有利である。
【００７８】
弁体１０のバイアル瓶８０側の面には、環状リブ１６ａ，１６ｂが形成されている（図５Ｂ、図６Ｂ参照）。図１２に示されているように、環状リブ１６ａ，１６ｂは、上下方向の圧縮力を受けて弾性圧縮変形してキャップ８８との間に気密及び液密なシールを形成する。第１環状リブ１６ａ及び第２環状リブ１６ｂが形成する第１空間４１及び第２空間４２は、薬剤等を外界に漏れ出ないように留める密封空間として機能する。仮に第１空間４１内に薬剤等が漏れ出たとしても、当該薬剤等は、外界に漏れ出るためには、第１環状リブ１６ａとキャップ８８との間、及び、第２環状リブ１６ｂとキャップ８８との間を順に通過する必要がある。従って、弁体１０の環状リブ１６ａ，１６ｂは、薬剤等が外界へ漏れ出る可能性を更に低減するのに有利である。本実施形態では、環状リブ１６ａ，１６ｂが二重に配置されているので、薬剤等が弁体１０とキャップ８８（または栓体８６）との間を通過して外界に漏れ出る可能性は更に低減されている。なお、弁体１０に設けられる環状のリブの数は、２つに限定されず、１つであってもよく、あるいは３つ以上であってもよい。
【００７９】
内側の第１環状リブ１６ａが、栓体８６ではなく、その上のキャップ８８に当接する。これにより、第１空間４１の容積が増大するので、より多くの薬剤を第１空間４１内に留めることができる。また、第１環状リブ１６ａ及び第２環状リブ１６ｂが相対的に硬いキャップ８８に当接するので、第１空間４１及び第２空間４２のシール性が向上する。これは、薬剤等が外界へ漏れ出る可能性を低減するのに有利である。但し、本発明はこれに限定されず、第１環状リブ１６ａ、更には第２環状リブ１６ｂが、キャップ８８の開口８８ａ内に露出した栓体８６の上面に当接していてもよい。
【００８０】
弁体１０の中央突起１５の作用効果を説明する。
【００８１】
バイアル瓶８０内の粉末状の薬剤を溶解して薬液を得る過程では、栓体８６に対する穿刺針１００の穿刺及び引き抜きを複数回行うことがある。例えば、栓体８６から穿刺針１００を引き抜いた後、栓体８６と弁体１０との間のシールされた空間内に薬剤等が漏れ出た場合を考える。弁体１０が中央突起１５を備えていない場合、その後、穿刺針１００を弁体１０の切り込み１１２に挿入しようとすると、穿刺針１００の押力によって弁体１０の中央部分が栓体８６に近づくように変位する。これにより、上記空間が圧縮され、空間内の圧力が上昇して、空間内に留められた薬剤等が、切り込み１１や環状リブ１６ａ，１６ｂとキャップ８８との境界を通過して外界に漏れ出る可能性がある。
【００８２】
これに対して、弁体１０が中央突起１６を備える場合には、中央突起１６が、穿刺針１００を弁体１０の切り込み１１に挿入しようとするときの弁体１０の変形を抑える。その結果、第１空間４１が圧縮されることによって第１空間４１内の薬剤等が外界に漏れ出る可能性が低くなる。
【００８３】
穿刺針１００を弁体１０の切り込み１１に挿入し更に栓体８６を貫通させるとき、中央突起１５は栓体８６に押し付けられて密着する。このため、バイアル瓶８０内の薬剤等が穿刺針１００と栓体８６との間の隙間を通って弁体１０側に漏れ出るのを、中央突起１５が抑える。従って、薬剤等が外界に漏れ出る可能性が更に低くなる。
【００８４】
切り込み１１は中央突起１５内に形成される。中央突起１５を設けることにより、切り込み１１の対向する端縁の厚みが増大し、その強度が向上する。これにより、穿刺針１００を切り込み１１に挿入したときには、切り込み１１の対向する端縁と穿刺針１００の外表面との間のシール性が向上する。また、穿刺針１００を切り込み１１から引き抜いた後は、切り込み１１を直ちに閉じさせることができるので、切り込み１１のリシール性が向上する。これらにより、薬剤等が外界に漏れ出る可能性が更に低くなる。
【００８５】
以上のように、弁体２２に中央突起１５を設けることは、薬剤等が外界に漏れ出る可能性を低減するのに有利である。
【００８６】
但し、本発明では、中央突起１５を省略してもよい。中央突起１５を省略することにより、第１空間４１の容積が拡大するので、第１空間４１内により多くの薬剤等を留めることができる。
【００８７】
保持部２１の第２環状突起２３ｂの内周面は下側で径大のテーパ面である。同様に、弁体１０の厚肉部１２の周囲壁１３も下側で径大のテーパ面である（図５Ａ、図５Ｂ参照）。従って、図１２のようにカバー１をバイアル瓶８０に装着し第２環状突起２３ｂが弁体１０の周囲壁１３に下向きの押力を印加したとき、上記のテーパ面は、当該押力から、栓体８６に向かう下向き成分に加えて、中心軸１ａ（図５Ａ、図６Ａ参照）に向かう半径方向成分を発生させる。下向き成分は、弁体１０の下面の中央に突出した中央突起１５を、キャップ８８の開口８８ａ内に露出した栓体８６の上面に密着させる。一方、半径方向成分は、厚肉部１２を縮径させ、切り込み１１のシール性を向上させる。より詳細には、穿刺針１００を弁体１０の切り込み１１に挿入したときには、弁体１０の切り込み１１の対向する端縁が穿刺針１００の外表面に密着し、穿刺針１００との間にシールを形成する。穿刺針１００を弁体１０の切り込み１１から引き抜くと、弁体１０の切り込み１１の対向する端縁が直ちに閉じてシールを形成する。従って、薬液等が外界に漏れ出る可能性が更に低減する。このように、カバー本体２０の第２環状突起２３ｂは、弁体１０の切り込み１１のシール性が向上するように弁体１０を径方向に圧縮する「圧縮部」として機能する。
【００８８】
なお、圧縮部の構成は、上記に限定されない。
【００８９】
例えば、第２環状突起２３ｂの内周面及び厚肉部１２の周囲壁１３が、いずれも上下方向において内径が一定である円筒面であってもよい。この場合、第２環状突起２３ｂの内周面の内径を、厚肉部１２の周囲壁１３の外径より小さく設定することにより、第２環状突起２３ｂを、厚肉部１２を径方向に圧縮して切り込み１１のシール性を向上させる圧縮部として機能させることができる。
【００９０】
あるいは、第２環状突起２３ｂ及び環状溝１４（図２Ａ参照）を省略してもよい。この場合、第１環状突起２３ａの内周面及び弁体１０の外周面を、下側で径大のテーパ面にしてもよい。若しくは、第１環状突起２３ａの内周面が、弁体１０の外径より小さな内径を有する円筒面であってもよい。これらのいずれによっても、第１環状突起２３ａを、弁体１０を径方向に圧縮して切り込み１１のシール性を向上させる圧縮部として機能させることができる。
【００９１】
図１７に示されているように、穿刺針１００がシールド１２０の頭部１２５、弁体１０、及び栓体８６を貫通しているとき、頭部１２５の凸部１２８は弁体１０に密着し、且つ、シールド２０の一対の保持爪２６は頭部１２５を径方向に挟持する。この状態から、穿刺針１００を栓体８６から引き抜くと、頭部１２５は保持爪２６に挟持されたままで、穿刺針１００は、栓体８６、弁体１０、及び頭部１２５に対して相対的に移動する。そして、穿刺針１００が頭部１２５のスリット１２７から抜け出して頭部１２５の内腔１２６（図１３参照）内に収納された後、一対の保持爪２６による頭部１２５の挟持が解除され、頭部１２５と弁体８６とが離間する。このように、保持爪２６は、穿刺針１００が栓体８６を穿刺した後、シールド１２０の頭部１２５内に収納されるまでの間、頭部１２５を保持し続ける「シールド保持部」として機能する。換言すれば、保持爪２６は、穿刺針１００がシールド１２０内に収納されてしまうより前に、頭部１２５と弁体１０とが離間するのを防止する。
【００９２】
このようなシールド保持部が設けられているので、穿刺針１００が弁体１０の切り込み１１から引き抜かれた後しばらくの間、頭部１２５の凸部１２８は弁体１０に密着し続ける。弁体１０の切り込み１１は、弁体１０自身の自己復元力によって切り込み１１が閉じられるまでの間、この頭部１２５の凸部１２８が密着するすることによっ確実にて塞がれる。従って、その後、頭部１２５と弁体１０とが離間したとき、頭部１２５の凸部１２８や弁体１０の外面に薬液等がほとんど付着しない。
【００９３】
また、シールド保持部が設けられているので、外表面に薬液等が付着した穿刺針１００が頭部１２５から突き出た状態で、穿刺針１００が弁体１０から分離されることがない。
【００９４】
これらにより、シールド保持部は、薬液等が外界に漏れ出る可能性を低減するのに有利である。
【００９５】
上記の実施形態は、例示にすぎない。本発明は、上記の実施形態に限定されず、適宜変更することができる。
【００９６】
外板３０の形状は、上記の実施形態に限定されない。例えば、一対の外板３０を連結して円筒状の１つの外板に変更してもよい。この場合、上記の実施形態と異なり、外板が拡径するように弾性変位することは困難であるかも知れない。但し、爪３３が半径方向に沿って外向きに弾性的に変位可能なように、例えば外板に略Ｕ字状の切り欠きを形成し、当該略Ｕ字状切り欠きで囲まれた片持ち支持片の自由端に爪３３を形成することができる。
【００９７】
カバー１に設けられる爪３３の数は４つである必要はなく、これより多くても少なくてもよい。
【００９８】
爪３３の形状は任意である。例えば、上面３３ａ及び下面３３ｂの一方又は両方が、上述したように先端３３ｔに近づくにしたがって保持部２１に接近するように傾斜していなくてもよい。爪３３の上面３３ａの先端３３ｔ近傍の位置に、キャップ８８の下端に係合する突起を形成してもよい。
【００９９】
上記の実施形態では、爪３３は外板３０とともに半径方向に沿って外向きに弾性的に変位したが、本発明はこれに限定されない。例えば、外板３０は実質的に変位することなく、爪３３の先端３３ｔが半径方向に沿って外向きに弾性的に変位可能なように、爪３３が弾性的に曲げ変形可能であってもよい。
【０１００】
保持爪２６の形状は、上記の実施形態に限定されない。シールド１２０の頭部１２５を保持できる任意の形状に適宜変更することができる。例えば、保持爪の先端（中心軸１ａに最も近い部分）に、頭部１２５をより確実に保持できるように、凹凸が形成されていてもよい。保持爪が、周方向に連続した環状の保持爪であってもよい。保持爪が、中心軸１ａに向かって突出した柱状の突起であってもよい。保持爪が、中心軸１ａに近づくにしたがって弁体１０に近づくように傾斜していてもよい。保持爪の数や中心軸１ａ周りの位置も任意に設定することができる。
【０１０１】
保持爪２６を省略してもよい。更に、筒状部２５を省略してもよい。
【０１０２】
上記の実施形態では、弁体１０に環状リブ１６ａを形成することにより、弁体１０と栓体８６との間に、密封された第１空間４１を形成した。但し、本発明では、弁体１０が、栓体８６に向かって突出した環状リブ１６ａ，１６ｂを備えていなくてもよい。例えば、弁体１０の平坦な下面をキャップ８８に密着させれば、キャップ８８の厚みに応じた上下方向寸法を有する密封空間を、弁体１０と栓体８６との間に形成することができる。上記実施形態のように弁体１０に環状リブ１６ａを形成することは、密封空間のシール性の向上と、密封空間の容積の拡大に有利である。
【０１０３】
カバー１の弁体１０を貫通する穿刺針の構成は上記の実施形態に限定されない。本発明のカバーは、バイアル瓶８０の栓体８６に穿刺することができる任意の穿刺針に適用できる。穿刺針がシールド１２０を有していなくてもよい。
【０１０４】
穿刺針１００がバイアル瓶８０の栓体８６を貫通した状態（図１７参照）において、穿刺針１００が外力や振動等によって意図せずに栓体８６から抜けることがないように、バイアル瓶８０のフランジ８２に係合する係合爪を有するロック機構が穿刺針１００に一体的に設けられることがある。図１１から理解できるように、本実施形態のカバー１をバイアル瓶８０に装着した状態において、フランジ８２（正確にはキャップ８８）のうちカバー１で覆われる部分はわずかである。従って、バイアル瓶８０にカバー１を装着した状態で、当該バイアル瓶８０に上記のロック機構付きの穿刺針１００を接続することができる。
【産業上の利用可能性】
【０１０５】
本発明の利用分野は特に制限はないが、抗がん剤などの危険な薬剤を収納したバイアル瓶に装着されるバイアル瓶用カバーとして好ましく利用することができる。もちろん、危険度が相対的に低い薬剤を収納したバイアル瓶に対しても利用することもできる。
【符号の説明】
【０１０６】
１  容器カバー
１０  弁体
１１  弁体の切り込み
１６ａ，１６ｂ  環状リブ
２０  カバー本体
２１  保持部
２３ｂ  第２環状突起（圧縮部）
２６  保持爪（シールド保持部）
３３  爪
３７  アーム
８０  バイアル瓶（容器）
８３  口（開口）
８６  栓体
８８  キャップ
１００  穿刺針
１２０  シールド
１２５  シールドの頭部
【図１】
2016054805.tif 000003
【図２】
2016054805.tif 000004
【図３】
2016054805.tif 000005
【図４】
2016054805.tif 000006
【図５Ａ】
2016054805.tif 000007
【図５Ｂ】
2016054805.tif 000008
【図６Ａ】
2016054805.tif 000009
【図６Ｂ】
2016054805.tif 000010
【図７】
2016054805.tif 000011
【図８】
2016054805.tif 000012
【図９】
2016054805.tif 000013
【図１０】
2016054805.tif 000014
【図１１】
2016054805.tif 000015
【図１２】
2016054805.tif 000016
【図１３】
2016054805.tif 000017
【図１４】
2016054805.tif 000018
【図１５】
2016054805.tif 000019
【図１６】
2016054805.tif 000020
【図１７】
2016054805.tif 000021